(57)【特許請求の範囲】
【請求項１】
筐体からなる室内機本体と、
該室内機本体の上範囲に設けられた吸込口と、
前記室内機本体の下範囲に設けられた吹出口と、
前記吸込口から前記吹出口に至る風路を形成する送風ファンと、
前記風路内に設置された熱交換器と、
前記風路に進退自在に配置されたエアーフィルターと、
該エアーフィルターを前記風路に進出させ、かつ前記風路から退避させるエアーフィルター進退装置と、
前記エアーフィルターが前記風路に進出した状態で上になっていた表面および下になっていた裏面を、前記エアーフィルターが前記風路から退避した際、それぞれ下または上になるように前記エアーフィルターを案内するエアーフィルター案内装置と、
前記エアーフィルターに付着した塵埃を除去するエアーフィルター清掃装置と、
を有し、
前記エアーフィルター清掃装置は、前記エアーフィルター案内装置によって案内されて前記エアーフィルターの下になっている前記表面および上になっている前記裏面にそれぞれ当接して、前記エアーフィルターの下になっている前記表面および上になっている前記裏面に付着した塵埃をそれぞれ除去する表面清掃ブラシおよび裏面清掃ブラシと、前記表面清掃ブラシおよび裏面清掃ブラシの下方に配置された集塵室と、を具備し、
前記エアーフィルターが前記風路から退避する際、前記エアーフィルターの上になっている前記裏面に前記裏面清掃ブラシが当接して前記エアーフィルターの上になっている前記裏面に付着していた塵埃が除去され、その後、前記エアーフィルターが前記風路に進出して、前記エアーフィルターの上になっている前記裏面が前記裏面清掃ブラシから離れ、前記裏面清掃ブラシによって除去された塵埃は、前記エアーフィルターと前記裏面清掃ブラシとの間から前記集塵室に落下し、
前記エアーフィルター清掃装置は、前記エアーフィルター案内装置によって案内されて前記エアーフィルターの下になっている面に平行な表面清掃ブラシ揺動軸と、該表面清掃ブラシ揺動軸を揺動する揺動手段と、を有し、
前記表面清掃ブラシが前記表面清掃ブラシ揺動軸に円周方向の１／４以下の範囲に設置され、
前記エアーフィルター案内装置は、前記表面清掃ブラシと前記裏面清掃ブラシとの間に配置されると共に、前記表面清掃ブラシが侵入する塵埃通過孔が形成され、
前記裏面清掃ブラシによって除去された塵埃が前記集塵室に落下する際、前記表面清掃ブラシは前記塵埃通過孔から退避していることを特徴とする空気調和機の室内機。
【請求項２】
筐体からなる室内機本体と、
該室内機本体の上範囲に設けられた吸込口と、
前記室内機本体の下範囲に設けられた吹出口と、
前記吸込口から前記吹出口に至る風路を形成する送風ファンと、
前記風路内に設置された熱交換器と、
前記風路に進退自在に配置されたエアーフィルターと、
該エアーフィルターを前記風路に進出させ、かつ前記風路から退避させるエアーフィルター進退装置と、
前記エアーフィルターが前記風路に進出した状態で上になっていた表面および下になっていた裏面を、前記エアーフィルターが前記風路から退避した際、それぞれ下および上になるように前記エアーフィルターを案内するエアーフィルター案内装置と、
前記エアーフィルターに付着した塵埃を除去するエアーフィルター清掃装置と、
を有し、
前記エアーフィルター清掃装置は、前記エアーフィルター案内装置によって案内されて前記エアーフィルターの下になっている前記表面および上になっている前記裏面にそれぞれ当接して、前記エアーフィルターの下になっている前記表面および上になっている前記裏面に付着した塵埃をそれぞれ除去する表面清掃ブラシおよび裏面清掃ブラシと、前記表面清掃ブラシおよび裏面清掃ブラシの下方に配置された集塵室と、を具備し、
前記エアーフィルターが前記風路から退避する際、前記エアーフィルターの上になっている前記裏面に前記裏面清掃ブラシが当接して前記エアーフィルターの上になっている前記裏面に付着していた塵埃が除去され、さらに、前記エアーフィルターが前記風路から退避して、前記エアーフィルターの上になっている前記裏面が前記裏面清掃ブラシから離れ、前記裏面清掃ブラシによって除去された塵埃は、前記エアーフィルターの上になっている前記裏面から掃き出されて前記集塵室に落下し、
前記エアーフィルター清掃装置は、前記エアーフィルター案内装置によって案内されて前記エアーフィルターの下になっている面に平行な表面清掃ブラシ揺動軸と、該表面清掃ブラシ揺動軸を揺動する揺動手段と、を有し、
前記表面清掃ブラシが前記表面清掃ブラシ揺動軸に円周方向の１／４以下の範囲に設置され、
前記エアーフィルター案内装置は、前記表面清掃ブラシと前記裏面清掃ブラシとの間に配置されると共に、前記表面清掃ブラシが侵入する塵埃通過孔が形成され、
前記裏面清掃ブラシによって除去された塵埃が前記集塵室に落下する際、前記表面清掃ブラシは前記塵埃通過孔から退避していることを特徴とする空気調和機の室内機。
【請求項３】
前記エアーフィルター清掃装置は、前記エアーフィルター案内装置によって案内されて前記エアーフィルターの下になっている面に平行な表面清掃ブラシ揺動軸と、該表面清掃ブラシ揺動軸を揺動する揺動手段と、を有し、
前記表面清掃ブラシが前記表面清掃ブラシ揺動軸に設置され、
前記エアーフィルターが前記風路から退避する際および前記風路に進出する際、前記表面清掃ブラシの先端は、前記エアーフィルターの下になっている面に当接して前後方向に揺動することを特徴とする請求項１または２記載の空気調和機の室内機。
【請求項４】
筐体からなる室内機本体と、
該室内機本体の上範囲に設けられた吸込口と、
前記室内機本体の下範囲に設けられた吹出口と、
前記吸込口から前記吹出口に至る風路を形成する送風ファンと、
前記風路内に設置された熱交換器と、
前記風路に進退自在に配置されたエアーフィルターと、
該エアーフィルターを前記風路に進出させ、かつ前記風路から退避させるエアーフィルター進退装置と、
前記エアーフィルターが前記風路に進出した状態で上になっていた面を、前記エアーフィルターが前記風路から退避した際、下になるように前記エアーフィルターを案内するエアーフィルター案内装置と、
前記エアーフィルターに付着した塵埃を除去するエアーフィルター清掃装置と、
を有し、
前記エアーフィルター清掃装置は、前記エアーフィルター案内装置によって案内されて前記エアーフィルターの下になっている面および上になっている面にそれぞれ当接して、前記エアーフィルターの下になっている面および上になっている面に付着した塵埃をそれぞれ除去する表面清掃ブラシおよび裏面清掃ブラシと、前記表面清掃ブラシおよび裏面清掃ブラシの下方に配置された集塵室と、を具備し、
前記エアーフィルターが前記風路から退避する際、前記エアーフィルターの上になっている面に前記裏面清掃ブラシが当接して前記エアーフィルターの上になっている面に付着していた塵埃が除去され、その後、前記エアーフィルターが前記風路に進出して前記裏面清掃ブラシが前記エアーフィルターの上になっている面から離れた際、前記裏面清掃ブラシによって除去された塵埃は前記集塵室に落下し、
前記エアーフィルター清掃装置は、前記エアーフィルター案内装置によって案内されて前記エアーフィルターの下になっている面に平行な表面清掃ブラシ揺動軸と、該表面清掃ブラシ揺動軸を揺動する揺動手段と、を有し、
前記表面清掃ブラシが前記表面清掃ブラシ揺動軸に円周方向の１／４以下の範囲に設置され、
前記エアーフィルター案内装置は、前記表面清掃ブラシと前記裏面清掃ブラシとの間に配置されると共に、前記表面清掃ブラシが侵入する塵埃通過孔が形成され、
前記裏面清掃ブラシによって除去された塵埃が前記集塵室に落下する際、前記表面清掃ブラシは前記塵埃通過孔から退避していることを特徴とする空気調和機の室内機。
【請求項５】
筐体からなる室内機本体と、
該室内機本体の上範囲に設けられた吸込口と、
前記室内機本体の下範囲に設けられた吹出口と、
前記吸込口から前記吹出口に至る風路を形成する送風ファンと、
前記風路内に設置された熱交換器と、
前記風路に進退自在に配置されたエアーフィルターと、
該エアーフィルターを前記風路に進出させ、かつ前記風路から退避させるエアーフィルター進退装置と、
前記エアーフィルターが前記風路に進出した状態で上になっていた面を、前記エアーフィルターが前記風路から退避した際、下になるように前記エアーフィルターを案内するエアーフィルター案内装置と、
前記エアーフィルターに付着した塵埃を除去するエアーフィルター清掃装置と、
を有し、
前記エアーフィルター清掃装置は、前記エアーフィルター案内装置によって案内されて前記エアーフィルターの下になっている面および上になっている面にそれぞれ当接して、前記エアーフィルターの下になっている面および上になっている面に付着した塵埃をそれぞれ除去する表面清掃ブラシおよび裏面清掃ブラシと、前記表面清掃ブラシおよび裏面清掃ブラシの下方に配置された集塵室と、を具備し、
前記エアーフィルターが前記風路から退避する際、前記エアーフィルターの上になっている面に前記裏面清掃ブラシが当接して前記エアーフィルターの上になっている面に付着していた塵埃が除去され、さらに、前記エアーフィルターが前記風路から退避して、前記裏面清掃ブラシが前記エアーフィルターの上になっている面から離れた際、前記裏面清掃ブラシによって除去された塵埃は前記集塵室に落下し、
前記エアーフィルター清掃装置は、前記エアーフィルター案内装置によって案内されて前記エアーフィルターの下になっている面に平行な表面清掃ブラシ揺動軸と、該表面清掃ブラシ揺動軸を揺動する揺動手段と、を有し、
前記表面清掃ブラシが前記表面清掃ブラシ揺動軸に円周方向の１／４以下の範囲に設置され、
前記エアーフィルター案内装置は、前記表面清掃ブラシと前記裏面清掃ブラシとの間に配置されると共に、前記表面清掃ブラシが侵入する塵埃通過孔が形成され、
前記裏面清掃ブラシによって除去された塵埃が前記集塵室に落下する際、前記表面清掃ブラシは前記塵埃通過孔から退避していることを特徴とする空気調和機の室内機。
【発明の詳細な説明】
【技術分野】
【０００１】
本発明は空気調和機の室内機、特に、エアーフィルターに付着した「塵や埃ないし糸くず等（本発明において「塵埃」と総称する）」を除去するエアーフィルター清掃装置を装備した空気調和機の室内機に関する。
【背景技術】
【０００２】
従来、空気調和機において、エアーフィルターを吸込風路内に引き出して、吸込空気に含まれた塵埃を除去すると共に、一方側に引き込みながら（巻き込みながら）エアーフィルターの風上側の面（本願において「エアーフィルター表面」と称している）に、回転自在に支持されているブラシを押し当てて、エアーフィルター表面に付着した塵埃を掻き落とす発明が開示されている（例えば、特許文献１参照）。
【先行技術文献】
【特許文献】
【０００３】
【特許文献１】特開２００２−５５０４号公報（第４頁、第１図）
【発明の概要】
【発明が解決しようとする課題】
【０００４】
しかしながら、吸込空気に含まれた塵埃は、主にエアーフィルター表面に付着するものであるが、吸込空気に含まれた塵埃の一部は、エアーフィルターの網目を通過して、エアーフィルターの風下側の面（本願において「エアーフィルター裏面」と称している）に付着することがある。
そのため、特許文献１に開示された発明では、エアーフィルター裏面に付着した塵埃を掻き取ることができないという問題があった。
そうすると、エアーフィルター表面に付着した塵埃は除去されても、エアーフィルターの裏面に付着した塵埃が堆積した場合には、エアーフィルターの通風抵抗が悪化（増大）して、送風ファンの負荷が増加する、すなわち、省エネ運転が阻害されるおそれがあるという問題があった。
【０００５】
本発明は、上記のような問題を解決するためになされたもので、エアーフィルター裏面に付着した塵埃を除去すると共に、除去された塵埃を回収することができるエアーフィルター清掃装置を、搭載した空気調和機の室内機を得るものである。
【課題を解決するための手段】
【０００６】
本発明に係る空気調和機の室内機は、筐体からなる室内機本体と、該室内機本体の上範囲に設けられた吸込口と、前記室内機本体の下範囲に設けられた吹出口と、前記吸込口から前記吹出口に至る風路を形成する送風ファンと、前記風路内に設置された熱交換器と、前記風路に進退自在に配置されたエアーフィルターと、該エアーフィルターを前記風路に進出させ、かつ前記風路から退避させるエアーフィルター進退装置と、前記エアーフィルターが前記風路に進出した状態で上になっていた表面および下になっていた裏面を、前記エアーフィルターが前記風路から退避した際、それぞれ下または上になるように前記エアーフィルターを案内するエアーフィルター案内装置と、前記エアーフィルターに付着した塵埃を除去するエアーフィルター清掃装置と、を有し、前記エアーフィルター清掃装置は、前記エアーフィルター案内装置によって案内されて前記エアーフィルターの下になっている前記表面および上になっている前記裏面にそれぞれ当接して、前記エアーフィルターの下になっている前記表面および上になっている前記裏面に付着した塵埃をそれぞれ除去する表面清掃ブラシおよび裏面清掃ブラシと、前記表面清掃ブラシおよび裏面清掃ブラシの下方に配置された集塵室と、を具備し、前記エアーフィルターが前記風路から退避する際、前記エアーフィルターの上になっている前記裏面に前記裏面清掃ブラシが当接して前記エアーフィルターの上になっている前記裏面に付着していた塵埃が除去され、その後、前記エアーフィルターが前記風路に進出して、前記エアーフィルターの上になっている前記裏面が前記裏面清掃ブラシから離れ、前記裏面清掃ブラシによって除去された塵埃は、前記エアーフィルターと前記裏面清掃ブラシとの間から前記集塵室に落下し、前記エアーフィルター清掃装置は、前記エアーフィルター案内装置によって案内されて前記エアーフィルターの下になっている面に平行な表面清掃ブラシ揺動軸と、該表面清掃ブラシ揺動軸を揺動する揺動手段と、を有し、前記表面清掃ブラシが前記表面清掃ブラシ揺動軸に円周方向の１／４以下の範囲に設置され、前記エアーフィルター案内装置は、前記表面清掃ブラシと前記裏面清掃ブラシとの間に配置されると共に、前記表面清掃ブラシが侵入する塵埃通過孔が形成され、前記裏面清掃ブラシによって除去された塵埃が前記集塵室に落下する際、前記表面清掃ブラシは前記塵埃通過孔から退避していることを特徴とする。
【発明の効果】
【０００７】
本発明に係る空気調和機の室内機におけるエアーフィルターの風路において風下側になる面（エアーフィルター裏面）は、エアーフィルターが退避する際、上側になって、裏面清掃ブラシに当接（摺動）する。このため、エアーフィルター裏面に付着していた塵埃が裏面清掃ブラシによって除去される。そして、エアーフィルターが再度進出して裏面清掃ブラシがエアーフィルター裏面から離れた際、裏面清掃ブラシによって除去された塵埃は集塵室に落下するから、エアーフィルターの網目（通気体）を通してエアーフィルター裏面に付着した塵埃は除去され、回収される。
よって、エアーフィルターは、表面および裏面に付着していた塵埃が共に除去され、通気抵抗の悪化（増加）が抑えられるから、空気調和機の室内機の省エネ運転を促進することができる。
【図面の簡単な説明】
【０００８】
【図１】本発明の実施の形態１に係る空気調和機の室内機の全体を示す断面図。
【図２】図１に示す空気調和機の室内機の一部（エアーフィルターおよびエアーフィルター清掃装置）を抜き出して示す斜視図。
【図３】図１に示す空気調和機の室内機の一部（エアーフィルターおよびエアーフィルター清掃装置）を抜き出して示す斜視図。
【図４】図１に示す空気調和機の室内機の一部（エアーフィルター案内装置およびエアーフィルター清掃装置）を抜き出して示す斜視図。
【図５】図１に示す空気調和機の室内機の一部（エアーフィルター案内装置およびエアーフィルター清掃装置）を抜き出して示す斜視図。
【図６】図１に示す空気調和機の室内機の一部（エアーフィルター案内装置）を抜き出して示す斜視図。
【図７】図１に示す空気調和機の室内機の一部（エアーフィルター案内装置およびエアーフィルター清掃装置）を抜き出して示す側面視の断面図。
【図８】図１に示す空気調和機の室内機のフィルター裏面の清掃要領を説明する側面視の断面図。
【図９】図１に示す空気調和機の室内機のフィルター裏面の清掃要領を説明する側面視の断面図。
【図１０】図１に示す空気調和機の室内機のエアーフィルターのその他の形態を示す斜視図。
【図１１】図１に示す空気調和機の室内機のエアーフィルター裏面の清掃要領その２を説明するための側面視の断面図。
【発明を実施するための形態】
【０００９】
［実施の形態１］
図１〜図１１は本発明の実施の形態１に係る空気調和機の室内機を説明するものであって、図１は空気調和機の室内機の全体を示す側面視の断面図、図２および図３は一部（エアーフィルターおよびエアーフィルター清掃装置）を抜き出して示す斜視図、図４および図５は一部（エアーフィルター案内装置およびエアーフィルター清掃装置）を抜き出して示す斜視図、 図６は一部（エアーフィルター案内装置）を抜き出して示す斜視図、図７は一部（エアーフィルター案内装置およびエアーフィルター清掃装置）を抜き出して示す側面視の断面図、図８および図９はエアーフィルター裏面の清掃要領を説明する側面視の断面図、図１０はエアーフィルターのその他の形態を示す斜視図、図１１はエアーフィルター裏面の清掃要領その２を説明するための側面視の断面図である。なお、各図は模式的に描かれたものであって、本発明は描かれた形態に限定するものではない。
【００１０】
（空気調和機の室内機）
図１および図２において、空気調和機の室内機（以下、単に「室内機」と称す場合がある）１００は、筐体からなる室内機本体１０と、室内機本体１０内に設置され、空気を吸い込むと共に吸い込んだ空気（正確には、調和空気）を吹き出す送風ファン２０と、送風ファン２０が形成する風路内に配置され、吸い込んだ空気を調和する熱交換器３０と、吸引した空気に含まれる塵埃を捕捉するエアーフィルター４０と、エアーフィルター４０を進退（移動）させるエアーフィルター進退装置５０と、エアーフィルター４０の上下面を反転させるエアーフィルター案内装置６０と、エアーフィルター４０に付着した塵埃を除去するエアーフィルター清掃装置７０と、を有している。
なお、エアーフィルター４０は左右に一対配置され、この間に両者を進退させる共通のエアーフィルター進退駆動モーター箱５１が配置されているが、本発明はかかる形態に限定するものではなく、エアーフィルター４０それぞれを進退させる独立した（別個の）エアーフィルター進退駆動モーター箱５１が配置されてもよい。また、エアーフィルター４０の左右対に限定するものではない。
【００１１】
（室内機本体）
室内機本体１０は、両端面（図示しない）が塞がれた筐体であって、天面（図１において上側、室内機本体の上範囲に同じ）が開口し、該開口部が空気を吸い込む吸込口１１が形成され、底面（図１において下側）の一部および前面（図１において左側の底面寄りの範囲、室内機本体の下範囲に同じ）が開口し、吸込口１１から吸い込んだ空気を吹き出す吹出口１２が形成されている。そして、前面（図１において左側）は開口し、該開口部を開閉する前面パネル１３が設置されている。なお、後面（図１において右側）は塞がれている。
【００１２】
（送風ファン）
送風ファン２０は、側面視において、室内機本体１０の吸込口１１と吹出口１２との間に設置され、吸込口１１から吹出口１２に至る風流れを形成するものである。送風ファン２０と吹出口１２との間の吹出側風路１９は、風路前面板１４と風路後面板１５とに略挟まれた空間で、吹出側風路１９には調和空気の左右方向の吹出方向を制御する左右方向風向板（図示しない）が設置されている。また、吹出口１２には、調和空気の上下方向の吹出方向を制御する上下方向風向板１６、１７が設置されている。
【００１３】
（熱交換器）
熱交換器３０は、吸い込まれた空気を調和（冷却、加熱、除湿等）するものであって、前面側で下部寄りに配置された第１熱交換器３１と、前面側の上部から天面にかけて配置された第２熱交換器３２と、天面から後面側の上部にかけて配置された第３熱交換器３３とから構成され、これらは吸込口１１と送風ファン２０との間（送風ファン２０の上流側に同じ）で、送風ファン２０を取り囲むように側面視において略Λ（ラムダ）状に配置されている。
また、第１熱交換器３１および第３熱交換器３３の下方には、それぞれから滴下したドレンを補足するドレンパン３４およびドレンパン３５が設けられている。
なお、本発明において、調和された空気を「調和空気」と称している。また、熱交換器３０の構成や、配置の形態は、図示された形態に限定されるものではない。
【００１４】
（エアーフィルター）
図１において、エアーフィルター４０は、室内機本体１０の吸込口１１と熱交換器３０との間、すなわち、熱交換器３０の上流側で、吸込口１１の全面を覆うように進出され（引き出され）、また、エアーフィルター進退装置５０によって、吸込口１１から退避するように移動する（例えば、巻き取られる）。
図２において、エアーフィルター４０は、室内機本体１０の左右に（エアーフィルター進退装置５０のエアーフィルター進退駆動モーター箱５１を挟んで）一対配置されている。また、エアーフィルター４０は、左右方向よりも前後方向（奥行き）が長い略方形の形状を持ち、エアーフィルター通気体（網状体）４１と、エアーフィルター通気体４１が設置された略格子状のエアーフィルター枠体４２とから構成されている。なお、風路に進出した状態において、「上の面」すなわち上流側の面を「エアーフィルター表面４０ａ」とし、「下の面」すなわち下流側の面を「エアーフィルター裏面４０ｂ」と称している。
そして、エアーフィルター枠体４２のうち前後方向に並行な部分のエアーフィルター裏面４０ｂに、等間隔の凹凸パターンであるエアーフィルター従動歯４３が形成されている。また、エアーフィルター枠体４２は柔軟性のある材料で成形され、成形時は平板状で形成されるが、空気調和機の室内機１００に搭載されると柔軟性があるため、側面視において、略Ｊ字状に湾曲した形状や、略螺旋状に巻き取り可能な形状にすることができる。
【００１５】
（エアーフィルター進退装置）
図３において、エアーフィルター進退装置５０は、室内機本体１０の前面上寄り（上下方向の略中央ないし上部寄りで天面に近い位置）に設置され、エアーフィルター４０のエアーフィルター従動歯４３に噛み合うエアーフィルター駆動歯車５３と、エアーフィルター駆動歯車５３が固定されたエアーフィルター駆動軸５２と、エアーフィルター駆動軸５２を回転駆動する図示しない駆動モーターを収納するエアーフィルター進退駆動モーター箱５１とを、有している。そして、エアーフィルター進退駆動モーター箱５１は室内機本体１０の前面寄りで、左右方向の略中央に設置されている。
また、エアーフィルター駆動軸５２の一方の端部はエアーフィルター進退駆動モーター箱５１に設けられた図示しない軸受に回転自在に支持され、エアーフィルター駆動軸５２の他方の端部は室内機本体１０に設けられた図示しない軸受に回転自在に支持されている。
【００１６】
（エアーフィルター案内装置）
図４〜図６において、エアーフィルター案内装置６０は、エアーフィルター４０が風路内に進出した際に、エアーフィルター表面４０ａが上側になり、エアーフィルター４０が風路から退避した際に、エアーフィルター表面４０ａが下側になるようにエアーフィルター４０を案内するもの（進出時に下側になっていたエアーフィルター裏面４０ｂを、退避時には、上側になるように案内するもの）である。
エアーフィルター案内装置６０は、側面視において略直線状範囲６１ａおよび略円弧状範囲６１ｂを有する略Ｊ字状の案内上板６１と、案内上板６１の略円弧状範囲６１ｂの前端から下方に延設された案内前側板６２と、略円弧状範囲６１ｂの後端から下方に延設された案内後側板６３と、案内上板６１の略円弧状範囲６１ｂと案内前側板６２と案内後側板６３とに設置され、案内上板６１の略円弧状範囲６１ｂの端部を覆う一対の案内端板６４と、から形成される下方の面が開口した箱状である。
そして、一対の案内端板６４には、エアーフィルター清掃装置７０を形成する表面清掃ブラシ揺動軸７３の両端をそれぞれ揺動自在（所定の回転角の間で正転と逆転を繰り返す）に支持する表面清掃ブラシ軸受６５が設けられている。
【００１７】
また、側面視で略Ｊ字状の案内上板６１の最下点に相当する位置には、所定幅の貫通溝である塵埃通過孔６６が形成され、案内上板６１の下面で塵埃通過孔６６の長手方向（室内機本体１０の左右方向に同じ）の側縁に沿ってまたは側縁に平行に（側縁から所定距離だけ離れて）、下方に向かって突出する略波状の掻き落とし突起６７ａ、６７ｂ（以下、それぞれ又は両者を「掻き落とし突起６７」と称す場合がある）が設置されている。
そして、エアーフィルター案内装置６０は、室内機本体１０に設置された際、案内上板６１の上面が、エアーフィルター進退装置５０のエアーフィルター駆動歯車５３に対向し、両者の間には所定の間隔が形成される。すなわち、エアーフィルター表面４０ａが案内上板６１に当接し、エアーフィルター裏面４０ｂに形成されたエアーフィルター従動歯４３にエアーフィルター駆動歯車５３が噛み合っている。
【００１８】
（エアーフィルター清掃装置）
図７において、エアーフィルター清掃装置７０は、エアーフィルター案内装置６０によって案内されてエアーフィルター４０の下側になっているエアーフィルター表面４０ａに当接自在な表面清掃ブラシ７２と、上側になっているエアーフィルター裏面４０ｂに当接自在な裏面清掃ブラシ７１と、エアーフィルター４０から除去された塵埃を貯蔵する集塵室７４と、を有している。
【００１９】
（集塵室）
集塵室７４は上面が解放された箱体であって、表面清掃ブラシ７２の下方（エアーフィルター案内装置６０の案内上板６１の下方に同じ）に配置され、上端部が、エアーフィルター案内装置６０の案内前側板６２、案内後側板６３および一対の案内端板６４に密接している。
したがって、集塵室７４は、案内前側板６２、案内後側板６３および一対の案内端板６４を介して、エアーフィルター案内装置６０の案内上板６１の略円弧状範囲６１ｂによって、蓋がされた状態になるから、集塵室７４に落下した塵埃が周囲に飛散することはない。
【００２０】
（表面清掃ブラシ）
表面清掃ブラシ７２は表面清掃ブラシ揺動軸７３に設置され（植え込まれ）、表面清掃ブラシ揺動軸７３は、エアーフィルター案内装置６０の案内上板６１（正確には、略円弧状範囲６１ｂ）の下方に配置された表面清掃ブラシ軸受６５に回動自在に支持されている。
このとき、表面清掃ブラシ７２は表面清掃ブラシ揺動軸７３の円周方向で略１５°の範囲に植え込まれているが、本発明はその範囲を限定するものではなく、略９０°以下の範囲に植め込むのが望ましい。
そして、表面清掃ブラシ揺動軸７３は、案内上板６１の略円弧状範囲６１ｂの最下線（正確には塵埃通過孔６６が形成されているため、仮想最下線）と平行になっている。
さらに、表面清掃ブラシ揺動軸７３には揺動手段（図示しない）が連結され、所定の角度範囲（例えば、鉛直線に対して前後方向にそれぞれ９０°）揺動する。
したがって、エアーフィルター４０がエアーフィルター案内装置６０の案内上板６１に摺動しながら進退する際、表面清掃ブラシ７２の先端はエアーフィルター４０のエアーフィルター表面４０ａに当接し前後方向に揺動することになる。
【００２１】
そうすると、エアーフィルター４０のエアーフィルター表面４０ａに捕捉された塵埃は表面清掃ブラシ７２によって除去され、塵埃通過孔６６を通過して集塵室７４に落下する。また、表面清掃ブラシ７２に付着したままの塵埃は掻き落とし突起６７によって表面清掃ブラシ７２から掻き落とされて集塵室７４に落下する。
なお、エアーフィルター４０の進退速度に比較して、揺動サイクルを短くしているから、表面清掃ブラシ７２が前面側に揺動する（倒れる）際に、表面清掃ブラシ７２の先端が当接した範囲の一部と、表面清掃ブラシ７２が後面側に揺動する（倒れる）際に表面清掃ブラシ７２の先端が当接する範囲の一部とは重なり、エアーフィルター４０が少なくとも退避する間、エアーフィルター４０に表面清掃ブラシ７２の先端が当接しない範囲（除去しない範囲）が生じることはない。
【００２２】
（裏面清掃ブラシ）
図７において、裏面清掃ブラシ７１はエアーフィルター案内装置６０の案内上板６１の上方に配置され、先端が下方を向いた姿勢で室内機本体１０に固定されている（図８の（ａ）参照）。
【００２３】
（裏面清掃要領：その１）
図８〜図９において、エアーフィルター４０が風路に進出した状態（空気調和機の使用状態）では、裏面清掃ブラシ７１はエアーフィルター裏面４０ｂから離れている（図８の（ａ）参照）。
そして、エアーフィルター４０がエアーフィルター案内装置６０の案内上板６１に摺動しながら退避し、裏面清掃ブラシ７１の直下に到達すると、裏面清掃ブラシ７１の先端はエアーフィルター裏面４０ｂ（上を向いている）に当接（摺動）する（図８の（ｂ）参照）。
その後、エアーフィルター４０が移動（退避）している間は、かかる当接（摺動）が継続するから、この間、エアーフィルター裏面４０ｂに付着した塵埃は除去され、やがて、退避限に到達してエアーフィルター４０は停止する（図８の（ｃ）参照）。
【００２４】
さらに、エアーフィルター４０が再度進出すると、退避時に取り残された塵埃が除去される（取り残しが無い場合は、除去されない。図９の（ａ）参照）。そして、エアーフィルター４０が進出限の近くにまで進出すると、裏面清掃ブラシ７１の先端はエアーフィルター裏面４０ｂから離れ、除去された塵埃や裏面清掃ブラシ７１に付着した塵埃は落下し、塵埃通過孔６６を通過して集塵室７４に貯蔵される（図９の（ｂ）参照）。
【００２５】
このとき、表面清掃ブラシ７２を略水平にして、その先端を塵埃通過孔６６から退避させておけば、塵埃の落下が確実になる。
なお、裏面清掃ブラシ７１の先端がエアーフィルター裏面４０ｂに当接（摺動）している間、表面清掃ブラシ７２は前記揺動をしている。このとき、エアーフィルター表面４０ａに付着していた塵埃が、表面清掃ブラシ７２によってエアーフィルター裏面４０ｂに押し出されたとしても、かかる塵埃は裏面清掃ブラシ７１によって掻き集められ、前記のように集塵室７４に貯蔵される。
【００２６】
（裏面清掃要領：その２）
図１０および図１１において、エアーフィルター８０は、エアーフィルター４０のエアーフィルター枠体４２のうち前後方向に平行な部分を延長してエアーフィルター枠体延長部４４を設け、エアーフィルター枠体延長部４４にも、エアーフィルター枠体４２におけるものと同様にエアーフィルター従動歯４３が形成されている。なお、エアーフィルター４０と同じ部分にはこれと同じ符号を付し、一部の説明を省略する。
図１１の（ａ）において、エアーフィルター８０が退避している間は、エアーフィルター４０と同様に、エアーフィルター裏面４０ｂに付着した塵埃は除去される。
【００２７】
図１１の（ｂ）において、エアーフィルター８０が退避限に到達した際、エアーフィルター枠体延長部４４に形成されたエアーフィルター従動歯４３は、エアーフィルター進退装置５０のエアーフィルター駆動歯車５３に噛み合っているものの、裏面清掃ブラシ７１の先端はエアーフィルター裏面４０ｂ（エアーフィルター枠体４２に同じ）から離れている。
したがって、エアーフィルター８０が退避している間に裏面清掃ブラシ７１によって除去された塵埃は、退避する工程の終盤において、エアーフィルター裏面４０ｂから掃き出されて落下し、集塵室７４に貯蔵される。
すなわち、エアーフィルター８０によると、エアーフィルター裏面４０ｂから除去された塵埃は、退避する工程の終盤と、進出する工程の終盤との２回に渡って、裏面清掃ブラシ７１によって除去された塵埃は、エアーフィルター裏面４０ｂから掃き出されて落下し、集塵室７４に貯蔵される。
【産業上の利用可能性】
【００２８】
本発明によれば、エアーフィルター裏面に付着した塵埃を除去すると共に、除去された塵埃を回収することができるから、各種空気調和機の室内機はもとより、各種送風機に設置されるエアーフィルターのエアーフィルター清掃装置として広く利用することができる。
【符号の説明】
【００２９】
１０：室内機本体、１１：吸込口、１２：吹出口、１３：前面パネル、１４：風路前面板、１５：風路後面板、１６：上下方向風向板、１７：上下方向風向板、１９：吹出側風路、２０：送風ファン、３０：熱交換器、３１：第１熱交換器、３２：第２熱交換器、３３：第３熱交換器、３４：ドレンパン、３５：ドレンパン、４０：エアーフィルター、４０ａ：エアーフィルター表面、４０ｂ：エアーフィルター裏面、４１：エアーフィルター通気体、４２：エアーフィルター枠体、４３：エアーフィルター従動歯、４４：エアーフィルター枠体延長部、５０：エアーフィルター進退装置、５１：エアーフィルター進退駆動モーター箱、５２：エアーフィルター駆動軸、５３：エアーフィルター駆動歯車、６０：エアーフィルター案内装置、６１：案内上板、６１ａ：略直線状範囲、６１ｂ：略円弧状範囲、６２：案内前側板、６３：案内後側板、６４：案内端板、６５：表面清掃ブラシ軸受、６６：塵埃通過孔、６７ａ：掻き落とし突起、６７ｂ：掻き落とし突起、７０：エアーフィルター清掃装置、７１：裏面清掃ブラシ、７２：表面清掃ブラシ、７３：表面清掃ブラシ揺動軸、７４：集塵室、８０：エアーフィルター、１００：空気調和着の室内機（室内機）。
【図１】
0005538176.tif 000002
【図２】
0005538176.tif 000003
【図３】
0005538176.tif 000004
【図４】
0005538176.tif 000005
【図５】
0005538176.tif 000006
【図６】
0005538176.tif 000007
【図７】
0005538176.tif 000008
【図８】
0005538176.tif 000009
【図９】
0005538176.tif 000010
【図１０】
0005538176.tif 000011
【図１１】
0005538176.tif 000012